(57)【要約】【課題】蓄積装置の筐体が開封される（フタを開けられる／穴を開けられる／切断されるなど）と、蓄積装置からのデータの読み出しを不可能とする、不正コピー防止蓄積装置および不正コピー防止方法を提供すること。【解決手段】ヘッド　１　とヘッド　１　を支持し媒体　２　上でヘッド　１　を駆動させるヘッド機構部　３　と、媒体　２　と、媒体　２　を回転駆動させる媒体機構部　４　と、回路　５　と、内容物　１８　を内包した容器　１６　と、これらをパッケージする、筐体上部　６　および筐体下部　７　からなる筐体とからなる蓄積装置を構成する。筐体が開封されると、これに連動して容器　１６　が壊れる／破れる／筐体との接着部が開くなどして、容器　１６　に内包された内容物　１８　が、ヘッド　１　、媒体　２　、ヘッド機構部　３　、媒体機構部　４　、回路　５　などに散布され、これによって、媒体　２　が内容物　１８　で覆われるなどして、データの読み出しが不可能となる。【選択図】　　図１
2004110929.tif 000002
【特許請求の範囲】
【請求項１】
内容物を内包した少なくとも１つの容器を筐体内に具備し、前記筐体が開封されると、前記内容物が前記容器から前記筐体内に散布されるように構成されていることを特徴とする不正コピー防止蓄積装置。
【請求項２】
内容物を内包した少なくとも１つの容器と、少なくとも１つの破壊機構部とを筐体内に具備し、前記筐体が開封されると、前記破壊機構部により前記容器が破壊され、前記内容物が前記容器から前記筐体内に散布されるように構成されていることを特徴とする不正コピー防止蓄積装置。
【請求項３】
少なくとも１つの破壊機構部を筐体内に具備し、前記筐体が開封されると、前記破壊機構部によりヘッド、媒体、ヘッド機構部、媒体機構部および回路のうちの少なくとも１つが破壊されるように構成されていることを特徴とする不正コピー防止蓄積装置。
【請求項４】
筐体が開封されると、前記筐体内のヘッド機構部軸受けあるいは媒体機構部軸受けが、ヘッド機構部あるいは媒体機構部からはずれるように構成されていることを特徴とする不正コピー防止蓄積装置。
【請求項５】
少なくとも１つの電源を筐体内に具備し、前記筐体が開封されると、前記電源から回路に過電流あるいは高電圧が印加されるように構成されていることを特徴とする不正コピー防止蓄積装置。
【請求項６】
少なくとも１つのメモリ部と少なくとも１つの暗号化／復号化部とを有する少なくとも１つの回路と、少なくとも１つの電源とを筐体内に具備し、前記筐体が開封されると、前記電源から前記回路に電力が供給され、前記回路により、前記メモリ部が過電流あるいは高電圧で破壊されるか、あるいは前記メモリ部の秘密キーが変更されるように構成されていることを特徴とする不正コピー防止蓄積装置。
【請求項７】
少なくとも１つの回路と、少なくとも１つの電源とを筐体内に具備し、前記筐体が開封されると、前記電源から前記回路に電力が供給され、前記回路により、媒体が回転しないよう媒体機構部が制御され、かつヘッドが前記媒体上の表面が鏡面となっている部分に移動するようヘッド機構部が制御されるように構成されていることを特徴とする不正コピー防止蓄積装置。
【請求項８】
少なくとも１つの磁界発生器と、少なくとも１つの電源とを筐体内に具備し、前記筐体が開封されると、前記電源から前記磁界発生器に電力が供給され、前記磁界発生器からの磁界が媒体に印加されるように構成されていることを特徴とする不正コピー防止蓄積装置。
【請求項９】
請求項１記載の不正コピー防止蓄積装置を用い、前記筐体が開封されると、前記内容物が前記容器から前記筐体内に散布され、ヘッド、媒体、ヘッド機構部、媒体機構部および回路のうちの少なくとも１つを覆うか、あるいは傷を付けるなどして、データの読み出しを不可能とすることを特徴とする不正コピー防止方法。
【請求項１０】
請求項２記載の不正コピー防止蓄積装置を用い、前記筐体が開封されると、前記破壊機構部により前記容器が破壊され、前記内容物が前記容器から前記筐体内に散布され、ヘッド、媒体、ヘッド機構部、媒体機構部および回路のうちの少なくとも１つを覆うか、あるいは傷を付けるなどして、データの読み出しを不可能とすることを特徴とする不正コピー防止方法。
【請求項１１】
請求項３記載の不正コピー防止蓄積装置を用い、前記筐体が開封されると、前記破壊機構部によりヘッド、媒体、ヘッド機構部、媒体機構部および回路のうちの少なくとも１つを破壊し、データの読み出しを不可能とすることを特徴とする不正コピー防止方法。
【請求項１２】
請求項４記載の不正コピー防止蓄積装置を用い、前記筐体が開封されると、前記ヘッド機構部軸受けあるいは前記媒体機構部軸受けが、前記ヘッド機構部あるいは前記媒体機構部からはずれ、前記ヘッド機構部あるいは前記媒体機構部が駆動できなくなり、データの読み出しを不可能とすることを特徴とする不正コピー防止方法。
【請求項１３】
請求項５記載の不正コピー防止蓄積装置を用い、前記筐体が開封されると、前記電源から前記回路に過電流あるいは高電圧を印加して前記回路を破壊し、データの読み出しを不可能とすることを特徴とする不正コピー防止方法。
【請求項１４】
請求項６記載の不正コピー防止蓄積装置を用い、前記筐体が開封されると、前記電源から前記回路に電力を供給し、前記回路により、前記メモリ部を過電流あるいは高電圧で破壊するか、あるいは前記メモリ部の秘密キーを変更して、データの読み出しを不可能とすることを特徴とする不正コピー防止方法。
【請求項１５】
請求項７記載の不正コピー防止蓄積装置を用い、前記筐体が開封されると、前記電源から前記回路に電力を供給し、前記回路により、前記媒体が回転しないよう前記媒体機構部を制御し、かつ前記ヘッドが前記媒体上の、表面が鏡面となっている部分に移動するようヘッド機構部を制御し、前記ヘッドを前記媒体表面に吸着させることによって、データの読み出しを不可能とすることを特徴とする不正コピー防止方法。
【請求項１６】
請求項８記載の不正コピー防止蓄積装置を用い、前記筐体が開封されると、前記電源から前記磁界発生器に電力を供給し、前記磁界発生器からの磁界を前記媒体に印加し、前記磁界によって前記媒体に蓄積されたデータを消去し、データの読出しを不可能とすることを特徴とする不正コピー防止方法。
【発明の詳細な説明】
【０００１】
【発明の属する技術分野】
本発明は不正コピー防止蓄積装置および不正コピー防止方法に関する。
【０００２】
【従来の技術】
【非特許文献１】「論文“情報システムのセキュリティ　−ユーザ認証−　”櫻井圭太　映像情報メディア学会誌，　２００２年，　Ｖｏｌ．　５６，　Ｎｏ．　７，　ｐｐ．　１０６３−１０６６」
従来の蓄積装置におけるデジタルデータの不正コピー防止方法としては、共通鍵（キー）暗号方式が挙げられる。この方法ではデータを暗号化（エンコード）する際と復号化（デコード）する際に、同一の秘密キーを使用する。この方法は、第三者がデジタルデータを不正コピーしても、データは暗号化されているため、秘密キーがない限り意味のあるデー夕として扱えなくする方法である。秘密キーの発行方法としては、ＩＣカード等を用いて蓄積装置とは別に発行する方法、あるいは予め蓄積装置の記録部にデータとして埋め込んでおく方法がある（例えば、非特許文献１参照）。
【０００３】
【発明が解決しようとする課題】
しかし、従来の方法では、復号化後のデータを盗聴（タッピング）することにより、容易にデジタルデータの不正コピーができてしまうという欠点があった。
【０００４】
この問題を解決する方法として、データの復号化およびアナログ変換機能を含む蓄積装置を筐体でパッケージングすることで、復号化後のデジタルデータの盗聴を防ぎ、蓄積装置からはアナログデータとして出力する方法がある。
【０００５】
しかし、この方法においても、筐体を開封することにより容易に盗聴が可能であり、デジタルデータの不正コピーができてしまうという欠点があった。ここで、「筐体を開封する」とは、「フタを開ける／穴を開ける／切断するなど」の手段によって、筐体内部と外部とを空間的につながった状態にすることを意味する。
【０００６】
本発明は上記の欠点を解消するために提案されたもので、その目的は従来の蓄積装置の不正コピー防止方法において問題であった、蓄積装置の筐体が開封されると、復号化後のデータが盗聴され、容易にデジタルデータが不正コピーされてしまう、という問題を解決した、蓄積装置の筐体が開封される（フタを開けられる／穴を開けられる／切断されるなど）と蓄積装置からのデータの読み出しを不可能とする、不正コピー防止蓄積装置および不正コピー防止方法を提供することにある。
【０００７】
【課題を解決するための手段】
上記課題を解決するために、本発明においては、請求項１に記載のように、
内容物を内包した少なくとも１つの容器を筐体内に具備し、前記筐体が開封されると、前記内容物が前記容器から前記筐体内に散布されるように構成されていることを特徴とする不正コピー防止蓄積装置を構成する。
【０００８】
また、本発明においては、請求項２に記載のように、
内容物を内包した少なくとも１つの容器と、少なくとも１つの破壊機構部とを筐体内に具備し、前記筐体が開封されると、前記破壊機構部により前記容器が破壊され、前記内容物が前記容器から前記筐体内に散布されるように構成されていることを特徴とする不正コピー防止蓄積装置を構成する。
【０００９】
また、本発明においては、請求項３に記載のように、
少なくとも１つの破壊機構部を筐体内に具備し、前記筐体が開封されると、前記破壊機構部によりヘッド、媒体、ヘッド機構部、媒体機構部および回路のうちの少なくとも１つが破壊されるように構成されていることを特徴とする不正コピー防止蓄積装置を構成する。
【００１０】
また、本発明においては、請求項４に記載のように、
筐体が開封されると、前記筐体内のヘッド機構部軸受けあるいは媒体機構部軸受けが、ヘッド機構部あるいは媒体機構部からはずれるように構成されていることを特徴とする不正コピー防止蓄積装置を構成する。
【００１１】
また、本発明においては、請求項５に記載のように、
少なくとも１つの電源を筐体内に具備し、前記筐体が開封されると、前記電源から回路に過電流あるいは高電圧が印加されるように構成されていることを特徴とする不正コピー防止蓄積装置を構成する。
【００１２】
また、本発明においては、請求項６に記載のように、
少なくとも１つのメモリ部と少なくとも１つの暗号化／復号化部とを有する少なくとも１つの回路と、少なくとも１つの電源とを筐体内に具備し、前記筐体が開封されると、前記電源から前記回路に電力が供給され、前記回路により、前記メモリ部が過電流あるいは高電圧で破壊されるか、あるいは前記メモリ部の秘密キーが変更されるように構成されていることを特徴とする不正コピー防止蓄積装置を構成する。
【００１３】
また、本発明においては、請求項７に記載のように、
少なくとも１つの回路と、少なくとも１つの電源とを筐体内に具備し、前記筐体が開封されると、前記電源から前記回路に電力が供給され、前記回路により、媒体が回転しないよう媒体機構部が制御され、かつヘッドが前記媒体上の表面が鏡面となっている部分に移動するようヘッド機構部が制御されるように構成されていることを特徴とする不正コピー防止蓄積装置を構成する。
【００１４】
また、本発明においては、請求項８に記載のように、
少なくとも１つの磁界発生器と、少なくとも１つの電源とを筐体内に具備し、前記筐体が開封されると、前記電源から前記磁界発生器に電力が供給され、前記磁界発生器からの磁界が媒体に印加されるように構成されていることを特徴とする不正コピー防止蓄積装置を構成する。
【００１５】
また、本発明においては、請求項９に記載のように、
請求項１記載の不正コピー防止蓄積装置を用い、前記筐体が開封されると、前記内容物が前記容器から前記筐体内に散布され、ヘッド、媒体、ヘッド機構部、媒体機構部および回路のうちの少なくとも１つを覆うか、あるいは傷を付けるなどして、データの読み出しを不可能とすることを特徴とする不正コピー防止方法を構成する。
【００１６】
また、本発明においては、請求項１０に記載のように、
請求項２記載の不正コピー防止蓄積装置を用い、前記筐体が開封されると、前記破壊機構部により前記容器が破壊され、前記内容物が前記容器から前記筐体内に散布され、ヘッド、媒体、ヘッド機構部、媒体機構部および回路のうちの少なくとも１つを覆うか、あるいは傷を付けるなどして、データの読み出しを不可能とすることを特徴とする不正コピー防止方法を構成する。
【００１７】
また、本発明においては、請求項１１に記載のように、
請求項３記載の不正コピー防止蓄積装置を用い、前記筐体が開封されると、前記破壊機構部によりヘッド、媒体、ヘッド機構部、媒体機構部および回路のうちの少なくとも１つを破壊し、データの読み出しを不可能とすることを特徴とする不正コピー防止方法を構成する。
【００１８】
また、本発明においては、請求項１２に記載のように、
請求項４記載の不正コピー防止蓄積装置を用い、前記筐体が開封されると、前記ヘッド機構部軸受けあるいは前記媒体機構部軸受けが、前記ヘッド機構部あるいは前記媒体機構部からはずれ、前記ヘッド機構部あるいは前記媒体機構部が駆動できなくなり、データの読み出しを不可能とすることを特徴とする不正コピー防止方法を構成する。
【００１９】
また、本発明においては、請求項１３に記載のように、
請求項５記載の不正コピー防止蓄積装置を用い、前記筐体が開封されると、前記電源から前記回路に過電流あるいは高電圧を印加して前記回路を破壊し、データの読み出しを不可能とすることを特徴とする不正コピー防止方法を構成する。
【００２０】
また、本発明においては、請求項１４に記載のように、
請求項６記載の不正コピー防止蓄積装置を用い、前記筐体が開封されると、前記電源から前記回路に電力を供給し、前記回路により、前記メモリ部を過電流あるいは高電圧で破壊するか、あるいは前記メモリ部の秘密キーを変更して、データの読み出しを不可能とすることを特徴とする不正コピー防止方法を構成する。
【００２１】
また、本発明においては、請求項１５に記載のように、
請求項７記載の不正コピー防止蓄積装置を用い、前記筐体が開封されると、前記電源から前記回路に電力を供給し、前記回路により、前記媒体が回転しないよう前記媒体機構部を制御し、かつ前記ヘッドが前記媒体上の、表面が鏡面となっている部分に移動するようヘッド機構部を制御し、前記ヘッドを前記媒体表面に吸着させることによって、データの読み出しを不可能とすることを特徴とする不正コピー防止方法を構成する。
【００２２】
また、本発明においては、請求項１６に記載のように、
請求項８記載の不正コピー防止蓄積装置を用い、前記筐体が開封されると、前記電源から前記磁界発生器に電力を供給し、前記磁界発生器からの磁界を前記媒体に印加し、前記磁界によって前記媒体に蓄積されたデータを消去し、データの読出しを不可能とすることを特徴とする不正コピー防止方法を構成する。
【００２３】
【発明の実施の形態】
以下、本発明の実施の形態を、具体的実施例を挙げて説明する。なお、以下の実施例では、蓄積装置として磁気ディスク装置など磁気記録装置を利用したものを例として説明するが、本発明はこれに限定するものではなく、例えば磁気テープ記録装置など磁気記録装置、光磁気ディスク装置など光磁気記録装置、光ディスク装置など光記録装置、半導体メモリ、強誘電体メモリ（ＦｅＲＡＭ）、磁性体メモリ（ＭＲＡＭ）を用いた記録装置などを利用した蓄積装置に対しても同様に効果を奏するものである。
【００２４】
なお、下記実施例におけるスイッチ　８　、電源　９　および内容物　１８　については、後述の〈スイッチ〉、〈電源〉および〈内容物〉の項で各々説明する。
【００２５】
【実施例】
〔実施例１〕
図１は本発明の第１の実施例を示す図である。
【００２６】
この実施例において、蓄積装置は、少なくとも１つのヘッド　１　と前記ヘッド　１　を支持し媒体　２　上で前記ヘッド　１　を駆動させる少なくとも１つのヘッド機構部　３　と、少なくとも１つの媒体　２　と、前記媒体　２　を回転駆動させる少なくとも１つの媒体機構部　４　と、少なくとも１つの回路　５　と、内容物　１８　を内包した少なくとも１つの容器　１６　と、これらをパッケージする少なくとも１つの筐体とから構成される。この例では筐体は筐体上部　６　と、筐体下部　７　の２体から構成される。
【００２７】
以下、本蓄積装置の動作を説明する。図１の例では、容器　１６　の両端が筐体上部　６　と筐体下部　７　に接着している。筐体が開封される（フタを開けられる／穴を開けられる／切断されるなど）と、これに連動して容器　１６　が壊れる／破れる／筐体との接着部が開くなどして、容器　１６　に内包された内容物　１８　が、ヘッド　１、媒体　２　、ヘッド機構部　３　、媒体機構部　４　、回路　５　などに散布される。これによって、ヘッド　１　、媒体　２　、ヘッド機構部　３　、媒体機構部　４　、回路　５　などが内容物　１８　で覆われる／傷付く（破損する）などして、データの読み出しが不可能となる。このように、本蓄積装置を用いて、本発明に係る不正コピー防止方法を実施することができる。
【００２８】
なお、容器　１６　としては、ガラス、ビニル樹脂などのプラスチック、紙材、木材、布材、金属、ゴム、などで構成されたものが挙げられ、いずれも同様の効果を奏する（以下の実施例でも同様）。
【００２９】
また、筐体は必ずしも上部と下部というように２体に分れている必要はなく、１体でも３体以上でも構わない（以下の実施例でも同様）。
【００３０】
〔実施例２〕
図２は本発明の第２の実施例を示す図である。
【００３１】
この実施例では蓄積装置は、少なくとも１つのヘッド　１　と前記ヘッド　１　を支持し媒体　２　上で前記ヘッド　１　を駆動させる少なくとも１つのヘッド機構部　３　と、少なくとも１つの媒体　２　と、前記媒体　２　を回転駆動させる少なくとも１つの媒体機構部　４　と、少なくとも１つの回路　５　と、内容物　１８　を内包した少なくとも１つの容器　１６　と、少なくとも１つの破壊機構部　１７　と、これらをパッケージする少なくとも１つの筐体とから構成される。この例では筐体は筐体上部　６　と、筐体下部　７　の２体から構成される。
【００３２】
破壊機構部　１７　は、例えば、先端が鋭利な少なくとも１つの鋭利部　１３　を持つ少なくとも１つの傷与器　１２　と、前記傷与器　１２　と筐体とをつなぐ少なくとも１つの接続部　１４　とから構成される。
【００３３】
以下、本蓄積装置の動作を説明する。図２の例では傷与器　１２　は支点　１５　を持ち、筐体の開封（フタを開けられる／穴を開けられる／切断されるなど）に連動して接続部　１４　を通じ傷与器　１２　の右側が持ち上げられ、鋭利部　１３　が容器　１６　に押し付けられ、容器　１６　を破損し、容器　１６　に内包された内容物　１８　が、ヘッド１　、媒体　２　、ヘッド機構部　３　、媒体機構部　４　、回路　５　などに散布される。これによって、ヘッド　１　、媒体　２　、ヘッド機構部　３　、媒体機構部　４　、回路　５などが内容物　１８　で覆われる／傷付く（破損する）などして、データの読み出しが不可能となる。このように、本蓄積装置を用いて、本発明に係る不正コピー防止方法を実施することができる。
【００３４】
〔実施例３〕
図３は本発明の第３の実施例を示す図である。
【００３５】
この実施例では蓄積装置は、少なくとも１つのヘッド　１　と前記ヘッド　１　を支持し媒体　２　上で前記ヘッド　１　を駆動させる少なくとも１つのヘッド機構部　３　と、少なくとも１つの媒体　２　と、前記媒体　２　を回転駆動させる少なくとも１つの媒体機構部　４　と、少なくとも１つの回路　５　と、内容物　１８　を内包した少なくとも１つの容器　１６　と、少なくとも１つのスイッチ　８　と、前記スイッチ　８　に電気的につながった少なくとも１つの電源　９　と、前記スイッチ　８　および前記電源９　に電気的につながり、容器　１６　近傍に配置された少なくとも１つの破壊機構部　１７　と、これらをパッケージする少なくとも１つの筐体とから構成される。この例では筐体は筐体上部　６　と、筐体下部　７　の２体から構成される。
【００３６】
破壊機構部　１７　は、例えば、先端が鋭利な少なくとも１つの鋭利部　１３　を持つ少なくとも１つの傷与器　１２　と、少なくとも１つの支点　１５　とから構成され、スイッチ　８　が　ＯＮ　すると電源　９　により電力が供給され駆動するものとする。
【００３７】
以下、本蓄積装置の動作を説明する。蓄積装置の筐体が開封される（フタを開けられる／穴を開けられる／切断されるなど）とこれによりスイッチ　８　が　ＯＮ　し、電源　９　から破壊機構部　１７　に電力が供給され、破壊機構部　１７　が駆動し、鋭利部　１３　が容器　１６　に押し付けられ、容器　１６　を破損し、容器　１６　に内包された内容物　１８　が、ヘッド　１　、媒体　２　、ヘッド機構部　３　、媒体機構部　４　、回路　５などに散布される。これによって、ヘッド　１　、媒体　２　、ヘッド機構部　３　、媒体機構部　４　、回路　５　などが内容物　１８　で覆われる／傷付く（破損する）などして、データの読み出しが不可能となる。このように、本蓄積装置を用いて、本発明に係る不正コピー防止方法を実施することができる。
【００３８】
〔実施例４〕
図４は本発明の第４の実施例を示す図である。
【００３９】
この実施例では蓄積装置は、少なくとも１つのヘッド　１　と前記ヘッド　１　を支持し媒体　２　上で前記ヘッド　１　を駆動させる少なくとも１つのヘッド機構部　３　と、少なくとも１つの媒体　２　と、前記媒体　２　を回転駆動させる少なくとも１つの媒体機構部　４　と、少なくとも１つの回路　５　と、内容物　１８　を内包した少なくとも１つの容器　１６　と、少なくとも１つのスイッチ　８　と、前記スイッチ　８　に電気的につながった少なくとも１つの電源　９　と、前記スイッチ　８　および前記電源９　に電気的につながり、容器　１６　近傍に配置された少なくとも１つの破壊機構部　１７　と、これらをパッケージする少なくとも１つの筐体とから構成される。この例では筐体は筐体上部　６　と、筐体下部　７　の２体から構成される。
【００４０】
この例では、破壊機構部　１７　は、例えば少なくとも１つのレーザ　１９　から構成される。図４に示すように容器　１６　とレーザ　１９　との間に少なくとも１つの集光器　２０　を配置し、レーザ光を容器　１６　表面に集光すると、レーザ光による容器　１６　の破損が効率良く行われより効果的である。
【００４１】
以下、本蓄積装置の動作を説明する。蓄積装置の筐体が開封される（フタを開けられる／穴を開けられる／切断されるなど）とこれによりスイッチ　８　が　ＯＮ　し、電源　９　からレーザ　１９　に電力が供給され、レーザ　１９　が発振しレーザ光が容器　１６　を破損し、容器　１６　に内包された内容物　１８　が、ヘッド　１　、媒体　２　、ヘッド機構部　３　、媒体機構部　４　、回路　５　などに散布される。これによって、ヘッド　１　、媒体　２　、ヘッド機構部　３　、媒体機構部　４　、回路　５　などが内容物　１８で覆われる／傷付く（破損する）などして、データの読み出しが不可能となる。このように、本蓄積装置を用いて、本発明に係る不正コピー防止方法を実施することができる。
【００４２】
なお、上記では、破壊機構部　１７　により容器　１６　を破損させたが、破壊機構部１７　をヘッド　１　、媒体　２　、ヘッド機構部　３　、媒体機構部　４　、回路　５　など蓄積装置の構成要素（後述するヘッド機構部軸受け　１０　、媒体機構部軸受け　１１　なども含む）の近傍に配置し、これらの構成要素を直接破損させても同様の効果を奏する。
【００４３】
〔実施例５〕
図５は本発明の第５の実施例を示す図である。
【００４４】
この実施例では蓄積装置は、少なくとも１つのヘッド　１　と前記ヘッド　１　を支持し媒体　２　上で前記ヘッド　１　を駆動させる少なくとも１つのヘッド機構部　３　と、少なくとも１つの媒体　２　と、前記媒体　２　を回転駆動させる少なくとも１つの媒体機構部　４　と、少なくとも１つの回路　５　と、少なくとも１つのヘッド機構部軸受け　１０　あるいは少なくとも１つの媒体機構部軸受け　１１　と、これらをパッケージする少なくとも１つの筐体とから構成される。この例では筐体は筐体上部６　と、筐体下部　７　の２体から構成される。
【００４５】
他の実施例を示す図では、ヘッド機構部　３　、媒体機構部　４　は、軸（例えば機構部の回転軸）の一端が固定されていれば、安定に駆動可能であるが、本実施例では、ヘッド機構部　３　、媒体機構部　４　の少なくとも一方は、軸の両端が固定されていないと安定に駆動できないものとする。
【００４６】
図５では、ヘッド機構部　３　、媒体機構部　４　の両方が、軸の両端が固定されていないと安定に駆動できない例を示している。本実施例では、軸受け（ヘッド機構部軸受け　１０　、媒体機構部軸受け　１１　）は筐体に接着しており、筐体が開封されると軸受けが機構部から（例えば機構部の回転軸から）はずれ、これに伴って機構部が駆動できなくなる構造となっている。
【００４７】
以下、本蓄積装置の動作を説明する。蓄積装置の筐体が開封される（フタを開けられる）と、軸受け（ヘッド機構部軸受け　１０　、媒体機構部軸受け　１１　）が機構部からはずれ、これに伴い機構部（ヘッド機構部　３　、媒体機構部　４　）は駆動できなくなり、これによってデータの読み出しが不可能となる。
【００４８】
なお、通常、一般に、媒体は媒体機構部にネジ留めされ、ネジを外せば媒体を媒体機構部から外すことができる。媒体を媒体機構部、蓄積装置から外せない構造とすることによって、媒体を盗み、これを別の蓄積装置を用いて再生することを防止することができる。このように、本蓄積装置を用いて、本発明に係る不正コピー防止方法を実施することができる。
【００４９】
媒体を媒体機構部、蓄積装置から外せない構造とする方法としては、ネジ山をつぶすなどネジを外せなくする方法、現状でネジ留めしている固定方法を接着剤、溶接、ハンダづけなどで固定とする方法、ラッチング機構などを用いる方法、などが挙げられいずれも同様の効果を奏する。
【００５０】
〔実施例６〕
図６は本発明の第６の実施例を示す図である。
【００５１】
この実施例では蓄積装置は、少なくとも１つのヘッド　１　と前記ヘッド　１　を支持し媒体　２　上で前記ヘッド　１　を駆動させる少なくとも１つのヘッド機構部　３　と、少なくとも１つの媒体　２　と、前記媒体　２　を回転駆動させる少なくとも１つの媒体機構部　４　と、少なくとも１つの回路　５　と、少なくとも１つのスイッチ　８と、前記スイッチ　８　および前記回路　５　と電気的につながった少なくとも１つの電源　９　と、これらをパッケージする少なくとも１つの筐体とから構成される。この例では筐体は筐体上部　６　と、筐体下部　７　の２体から構成される。
【００５２】
以下、本蓄積装置の動作を説明する。蓄積装置の筐体が開封される（フタを開けられる／穴を開けられる／切断されるなど）とこれによりスイッチ　８　が　ＯＮ　し、電源　９　から回路　５　に過電流が通電し、回路　５　の配線を焼き切り断線させることによって回路　５　を破壊する。これによってデータの読み出しが不可能となる。このように、本蓄積装置を用いて、本発明に係る不正コピー防止方法を実施することができる。また、電源　９　から回路　５　に高電圧を印加し、絶縁破壊を生じさせることによっても回路　５　を破壊することができ、同様の効果を奏する。
【００５３】
なお、ここで回路　５　は、データ信号処理回路、電源回路、機構制御回路、機構駆動回路など蓄積装置に使用されるあらゆる電気的回路を含むものとする。またヘッド機構部　３　、媒体機構部　４　はモータ、ボイスコイル、アクチュエータなどで駆動しているため、上記同様これらに過電流、高電圧を通電、印加して破損させることによっても、同様の効果を奏する。
【００５４】
〔実施例７〕
図７は本発明の第７の実施例（回路の実施例）を示す図である。
【００５５】
回路　５００　は少なくとも制御部　５０４、メモリ部　５０６、暗号化／復号化部　５０５　からなり各々は電気的につながっている。制御部　５０４　はスイッチ　８　と接続した電源　９　とつながり、暗号化／復号化部　５０５　は別の回路　５０３　およびヘッド　１　につながったさらに別の回路　５０２　と接続されている。なお、これらの回路はまとまって１つの回路として形成されていても良い。
【００５６】
回路　５０３　からのデータはメモリ部　５０６　からの秘密キーを用いて暗号化／復号化部　５０５　で暗号化され、回路　５０２　に送られ、ヘッド　１　によって媒体　２　に記録される。またヘッド　１　によって再生されたデータは回路　５０２　を通った後、メモリ部　５０６　からの秘密キーを用いて暗号化／復号化部　５０５　で復号化され、回路　５０３　へ送られる。なお、ここで回路　５００（暗号化／復号化、秘密キー）は、データの読み出しを不可能にするために設けたものであり、従来技術で記載した暗号化／復号化、秘密キーとは一般には独立したものを想定している。従って暗号化／復号化部　５０５　で暗号化される前のデータは別の手段で既に暗号化されたデータであり、また暗号化／復号化部　５０５　で復号化された後のデータは暗号化／復号化部　５０５　で暗号化される前のデータ（これは前記別の手段で暗号化されたデータと同じ）にもどることを想定している。
【００５７】
以下、本蓄積装置の動作を説明する。蓄積装置の筐体が開封される（フタを開けられる／穴を開けられる／切断されるなど）とこれによりスイッチ　８　が　ＯＮ　し、電源　９　から制御部　５０４　に電力が供給され、制御部　５０４　からメモリ部　５０６　に過電流が流れる、あるいは高電圧が印加されるなどしてメモリ部　５０６　を破壊する。あるいは制御部　５０４　からメモリ部　５０６　にコマンドが送られ秘密キーを消去する／変更（改ざん）する。秘密キーの消去方法としては、電気的に消去する方法（ＲＡＭ、ＥＥＰＲＯＭ、フラッシュメモリなどの場合）、紫外線などの光で消去する方法（ＥＰＲＯＭなどの場合）などが挙げられる。こうすることによって、ヘッド　１　で再生された信号を暗号化／復号化部　５０５　で正しく復号化できなくなり、データの読み出しが不可能となる。このように、本蓄積装置を用いて、本発明に係る不正コピー防止方法を実施することができる。
【００５８】
なお、上記回路　５００　を二重化以上に装備することによって、不正コピー防止機能をさらに強化することが可能である。また、メモリ部　５０６　を揮発性メモリとし、定常時は電池／蓄電池などにより電力を供給しメモリの情報（秘密キー）を維持させ、一方、蓄積装置の筐体が開封される（フタを開けられる／穴を開けられる／切断されるなど）と電力供給をストップしメモリの情報（秘密キー）を消去することとしても、同様にヘッド　１　で再生された信号を暗号化／復号化部　５０５　で正しく復号化できなくなり、データの読み出しが不可能となる。
【００５９】
本実施例は、従来技術で記載した暗号化／復号化、秘密キーとは独立したものを想定したが、勿論、従来技術で記載した暗号化／復号化、秘密キーを対象としても構わない。例えば秘密キーを入れた回路を過電流、高電圧、破壊機構部で破壊する、揮発性メモリとする、秘密キーを消去する／変更（改ざん）する、などして上記同様にデータ読み中しを不可能とすることができる。この秘密キーを入れた回路としては、蓄積装置に実装されたもの／後付けされたもの／ハメ込み・挿入されたものが挙げられる。また、従来技術で記載したように発行されたＩＣカードに秘密キーが入っている場合、これを破壊対象とし、例えば蓄積装置にＩＣ力ードを差し込んだ状態で、上記同様の方法にて破壊することにより、データ読み出しを不可能とすることができる。このようにして、本発明に係る不正コピー防止方法を実施することができる。
【００６０】
〔実施例８〕
図８は本発明の第８の実施例を示す図である。
【００６１】
この実施例では蓄積装置は、少なくとも１つのヘッド　１　と前記ヘッド　１　を支持し媒体　２　上で前記ヘッド　１　を駆動させる少なくとも１つのヘッド機構部　３　と、少なくとも１つの媒体　２　と、前記媒体　２　を回転駆動させる少なくとも１つの媒体機構部　４　と、少なくとも１つの回路　５　と、少なくとも１つのスイッチ　８と、前記ヘッド機構部　３　および前記媒体機構部　４　と電気的につながった少なくとも１つの回路　５０７　と、前記スイッチ　８　および前記回路　５０７　と電気的につながった少なくとも１つの電源　９　と、これらをパッケージする少なくとも１つの筐体とから構成される。この例では筐体は筐体上部　６　と、筐体下部　７　の２体から構成される。なお、回路　５　と回路　５０７　はまとまって１つの回路として形成されていても良い。
【００６２】
ヘッド　１　のスライダ表面、媒体　２　の表面は鏡面になっており、両面が静止接触すると吸着を起こす。これを防ぐため、非動作状態では、ヘッド　１　は媒体　２　外に移動して静止配置されるか、あるいは媒体　２　の表面に故意に凹凸を付け吸着しないようにした場所に移動して静止配置される。回路　５０７　はヘッド機構部　３　によるヘッド　１　の駆動、および媒体機構部　４　による媒体　２　の回転駆動を制御する機能を持つものとする。なお、通常の動作状態では、媒体　２　が回転することにより、ヘッド　１　は媒体　２　上を浮上するため、吸着は生じない。
【００６３】
以下、本蓄積装置の動作を説明する。蓄積システムの筐体が開封される（フタを開けられる／穴を開けられる／切断されるなど）とこれによりスイッチ　８　が　ＯＮし、電源　９　から回路　５０７　に電力が供給される。回路　５０７　によって媒体機構部４　は媒体　２　が回転しないよう制御される。また回路　５０７　によってヘッド機構部　３　はヘッド　１　が媒体　２　の表面が鏡面となっている部分に移動するよう制御される。これによってヘッド　１　は媒体　２　の表面に吸着してしまい、データの読み出しが不可能となる。このように、本蓄積装置を用いて、本発明に係る不正コピー防止方法を実施することができる。
【００６４】
〔実施例９〕
図９は本発明の第９の実施例を示す図である。
【００６５】
上記実施例８までの実施例では筐体が（筐体上部　６　と筐体下部　７　とから構成される）１重のものを示したが、図９のように回路　５０１（回路の一部）などが、筐体上部　６　と筐体下部　７　とから構成される筐体の外にある場合、例えば回路　５０１、スイッチ　８　、電源　９　などを筐体　７００　と、筐体上部　６　と筐体下部　７　とから構成される筐体との間に設置し、筐体を２重構造にし、筐体　７００　を開封された（フタを開けられる／穴を開けられる／切断されるなど）場合、上述したいずれかの不正コピー防止機能が働くようにしても同様の効果を奏する。このようにして、本発明に係る不正コピー防止方法を実施することができる。なおここで電源９　は筐体上部　６　と筐体下部　７　とから構成される筐体の内側に配置されても良い。筐体は１重、２重に限らず、３重以上でも良く、また筐体上部　６　と筐体下部　７　とから構成される筐体の外にあるのは回路に限らず、機構部、スイッチ、電源、ヘッド、媒体、不正コピー防止機能部およびこれらの一部などでも良く、これらは本発明の全体にわたって同様である。
【００６６】
〔実施例１０〕
図１０および図１１は本発明の第１０の実施例を示す図である。
【００６７】
この実施例では蓄積装置は、少なくとも１つのヘッド　１　と前記ヘッド　１　を支持し媒体　２　上で前記ヘッド　１　を駆動させる少なくとも１つのヘッド機構部　３　と、少なくとも１つの媒体　２　と、前記媒体　２　を回転駆動させる少なくとも１つの媒体機構部　４　と、少なくとも１つの回路　５　と、少なくとも１つのスイッチ　８と、少なくとも１つの磁界発生器　２１　と、前記スイッチ　８　および前記磁界発生器　２１　に電気的につながった少なくとも１つの電源　９　と、これらをパッケージする少なくとも１つの筐体とから構成される。
【００６８】
磁界発生器　２１　は空芯のコイル（図１０）、あるいは磁芯にコイルを巻いたもの（図１１）などから構成される。磁界発生器　２１　はこれから発生した磁界が媒体　２　に印加するよう配置される。
【００６９】
以下、本蓄積装置の動作を説明する。蓄積装置の筐体が開封される（フタを開けられる／穴を開けられる／切断されるなど）とこれによりスイッチ　８　が　ＯＮ　し、電源　９　から磁界発生器　２１　に電力が供給され、磁界発生器　２１　からの磁界が媒体　２　に印加され、この磁界によって、媒体　２　に蓄積されたデータは消去され、データの読出しが不可能となる。このように、本蓄積装置を用いて、本発明に係る不正コピー防止方法を実施することができる。
【００７０】
なお、媒体　２　をヒータ、レーザなどで熱し、媒体　２　の記録層の保持磁力を低下させると、データ消去に最低限必要な印加磁界の値を低くすることができ、効果的である。
【００７１】
また、本実施例では、筐体が二重になった図を示したが、他の実施例同様、筐体は一重でも、三重以上でも同様の効果を奏する。
【００７２】
〈スイッチ〉
本発明における不正コピー防止機能のスイッチ　８　としては、例えば筐体上部　６　、筐体下部　７　に機械的スイッチを配置し、筐体上部　６　、筐体下部　７　など筐体が開封される（フタを開けられる／穴を開けられる／切断されるなど）と　ＯＮ　となるもの、筐体内に光センサを配置し筐体が開封され（フタを開けられる／穴を開けられる／切断されるなど）光が筐体内に入るとこれにより　ＯＮ　となるもの、筐体の壁の外側、内側、筐体の壁の中側などに網目状の配線を施し筐体が開封される（フタを開けられる／穴を開けられる／切断されるなど）と網目状配線が断線しこれにより　ＯＮ　となるもの、などが挙げられ、いずれも同様の効果を奏する。
【００７３】
なお、電源　９　を利用しない場合には、例えば図２に示すように筐体の開封（フタを開けられる／穴を開けられる／切断されるなど）に連動して、開封の力を利用して機構部分が動き、これにより不正コピー防止機能の動作を開始させるものが挙げられる。
【００７４】
またヘッド　１　、媒体　２　、ヘッド機構部　３　、媒体機構部　４　、回路　５　、筐体など蓄積装置の構成要素を留めるネジ類（ダミーとして蓄積装置に設置されるネジ類も含む）をスイッチ　８　とし、これらが外される／破損するとこれにより不正コピー防止機能が　ＯＮ　となるもの、あるいは上記ネジ類を外す力を利用して機構部分を動作させこれにより不正コピー防止機能の動作を開始させるものが挙げられ、同様の効果を奏する。
【００７５】
また、センサとして光センサに限らず、温度／湿度／位置／電圧／電流センサを用い、筐体の開封（フタを開封／穴開け／切断など）あるいはタッピングにより生ずる温度／湿度／位置／電圧／電流の変化をこれらのセンサで感知する方法が挙げられ同様の効果を奏する。
【００７６】
＜電源〉
本発明における電源　９　としては、蓄積装置の電源をそのまま利用するもの、電池／充電電池／チャージアップさせたコンデンサなどのバッテリを利用するものが挙げられいずれも同様の効果を奏する。
【００７７】
不正コピー防止機能が働くタイミングとしては筐体を開封した瞬間、あるいは蓄積装置の電源を　ＯＮ　した瞬間、あるいは再生／コピーなど何らかの動作をさせた瞬間などが挙げられ、いずれも同様の効果を奏する。
【００７８】
なお、上記で電源　９　を使用しないとして示した実施例の装置、方法においても、機構部分を電動とすることによって、例えばスイッチ　８　、電源　９　を使用して不正コピー防止機能を動作させることが可能である。他方、上記で電源　９　を使用するとして挙げた実施例の装置、方法においても、筐体の開封（フタを開けられる／穴を開けられる／切断されるなど）に連動させ開封の力を利用することによって、電源　９　を使用しないで不正コピー防止機能を動作させることが可能である。また、開封の力を利用し発電した電力を用いることも可能である。
【００７９】
なお、上記実施例の図では、スイッチ　８　と電源　９　、電源　９　と破壊機構部　１７（あるいは回路　５　など）が結線されているが、本発明では、電源　９　、スイッチ　８　、破壊機構部　１７　、回路　５　などの電気的接続状態（結線状態、順序）に関しては特にこれを限定するものではなく、結果としてスイッチ　８　が　ＯＮ　することにより電源　９　から破壊機構部　１７　、回路　５　などへ電力が供給されて不正コピー防止機能が動作すれぱよく、いずれも同様の効果を奏する。
【００８０】
〈内容物〉
本発明における内容物　１８　としては、例えば接着性液体、接着後硬化する液体、磁性流体、塗料、酸、アルカリなどの液体、磁性粉、金属粉、接着性粉体、ガラス／ダイヤモンド粉などの粉体、および酸、アルカリなどのガス、固体、塊体、ぺースト、ゼリー、シートなどが挙げられ、いずれも同様の効果を奏する。
【００８１】
なお、内容物の特徴、効果としては、磁性粉、金属粉、ガラス／ダイヤモンド粉などの粉体、固体、塊体、接着性粉体、接着性液体、接着後硬化する液体、磁性流体、塗料、ぺースト、シートでは、ヘッドと媒体との間に入り／あるいは直接、ヘッド、媒体、機構部、回路などを傷つける効果がある。特に磁性粉、磁性流体など磁気的性質を持つものの場合、ヘッド／媒体に磁気的に吸着するため除去し難く、また媒体上のデータを磁気的に消去する効果もあり有効である。
【００８２】
また、酸、アルカリなどの液体、ガス、ぺースト、ゼリー、シートなどは、ヘッド、媒体、機構部、回路などを溶かす効果がある。
【００８３】
また、接着性粉体、接着性液体、接着後硬化する液体、磁性流体、塗料、ぺースト、ゼリー、シートなどは、ヘッド、媒体、機構部などを覆い、読み書き／駆動できなくする効果がある。
【００８４】
また、内容物として光により反応する光硬化材料を用いても、ヘッド、媒体、機構部、回路などに付着、硬化し、読み書き／駆動をできなくするため効果がある。
【００８５】
不正コピー防止機能としては、上記に挙げたものを単一あるいは複数組合せた構造、方法とすることが可能であり、いずれも同様の効果を奏する。
【００８６】
上記の例では省略してあるが、本蓄積装置は当然、本蓄積装置を動作させるための電源と接続している必要がある。また、他機器とデータ等のやりとりをするインタフェースを有する必要がある。例えば、入力信号は暗号化されたデジタルデータとして蓄積装置に入り蓄積され、再生時には不正コピー防止機能を持った筐体内で復号化およびアナログ変換されて筐体外へ出力される。全てのデジタルデータを不正コピー防止機能を持った筐体内に閉じ込めることが、不正コピーを防止する上で理想的ではあるが、暗号化されたデジタルデータならば不正コピーは実効上困難であることから、必ずしも全ての回路およびケーブル、配線などを不正コピー防止機能を持った筐体内に閉じ込める必要はない。即ち、暗号化されたデジタルデータのみが流れる回路およびケーブル、配線などに関しては、必ずしも不正コピー防止機能を持った筐体内に閉じ込める必要はなく、その一部あるいは全部が前記筐体の外に出ていても実効上構わない場合が多く、このことは本発明においても同様である。従って、ヘッド、媒体近傍において暗号化されたデジタルデータしか扱わない場合には、ヘッド、媒体、ヘッド機構部、媒体機構部などが前記筐体の外に出ることもあり得る。
【００８７】
なお、筐体としては、導電性シールド筐体とすることにより、タッピングされ難くすることができる。また、回路として端子、パターンが表面に露出していないものとすること、回路をモールドすることにより、タッピングされ難くすることができる。
【００８８】
【発明の効果】
以上説明したように、本発明の実施によれば、蓄積装置の筐体が開封される（フタを開けられる／穴を開けられる／切断されるなど）と、蓄積装置からのデータの読み出しを不可能とする、不正コピー防止蓄積装置および不正コピー防止方法を提供することができる。
【図面の簡単な説明】
【図１】本発明の第１の実施例を示す図である。
【図２】本発明の第２の実施例を示す図である。
【図３】本発明の第３の実施例を示す図である。
【図４】本発明の第４の実施例を示す図である。
【図５】本発明の第５の実施例を示す図である。
【図６】本発明の第６の実施例を示す図である。
【図７】本発明の第７の実施例を示す図（回路の実施例を示す図）である。
【図８】本発明の第８の実施例を示す図である。
【図９】本発明の第９の実施例を示す図である。
【図１０】本発明の第１０の実施例を示す図である。
【図１１】本発明の第１０の実施例を示す図である。
【符号の説明】
１：ヘッド、２：媒体、３：ヘッド機構部、４：媒体機構部、５、５００、５０１、５０２、５０３、５０７：回路、５０４：制御部、５０５：暗号化／復号化部、５０６：メモリ部、６：筐体上部、７：筐体下部、７００：筐体、８：スイッチ、９：電源、１０：ヘッド機構部軸受け、１１：媒体機構部軸受け、１２：傷与器、１３：鋭利部、１４：接続部、１５：支点、１６：容器、１７：破壊機構部、１８：内容物、１９：レーザ、２０：集光器、２１：磁界発生器。
【図１】
2004110929.tif 000003
【図２】
2004110929.tif 000004
【図３】
2004110929.tif 000005
【図４】
2004110929.tif 000006
【図５】
2004110929.tif 000007
【図６】
2004110929.tif 000008
【図７】
2004110929.tif 000009
【図８】
2004110929.tif 000010
【図９】
2004110929.tif 000011
【図１０】
2004110929.tif 000012
【図１１】
2004110929.tif 000013